(57)【要約】【課題】少スペースでディスクを保持すると共に、モータの磁気特性を改善することができ、損失の少ない高効率モータを提供する。【解決手段】１０２はシャフトで、ロータヨーク１０１に垂直に固定される。１０５はコイルでありバックプレート１０４によって保持固定されている。シャフト１０２は含油メタル軸受け１０６に回転可能に挿入されており、スラスト軸受け１０７でアキシャル方向に支持されている。コイル１０５に空隙をもって対向し、ロータヨーク１０１にメインマグネット１０３及び吸引マグネット１０８、ターンテーブル１１０が固着されている。メインマグネット１０３及び吸引マグネット１０８はアキシャル方向に磁束を発生する様に着磁され、極数及び極性位置を同数且つ同位置とし、ロータヨーク１０１を介して対向している。コイル１０５に励磁電流を供給し、メインマグネット１０３との吸引・反発力により、モータを回転させる。【選択図】図１
2006060890.tif 000002
【特許請求の範囲】
【請求項１】
磁性体からなるロータヨークと、前記ロータヨークに固着され共に回転するシャフトと、磁力を発生するメインマグネットからなるロータと、前記ロータを回転駆動させる磁気を発生するコイルを備えたステータと、前記ロータを回転自在に保持する含油メタル軸受けを備え、磁気、光ディスク等の記録ディスクを回転駆動するために用いられるスピンドルモータにおいて、ディスクを保持する吸引マグネットをアキシャル方向に磁束を発生するように着磁し、前記着磁の極数および極性位置を前記メインマグネットと同数且つ極性を同位置とすることを特徴とするスピンドルモータ。
【請求項２】
前記メインマグネットと前記吸引マグネットを一体成型したことを特徴とする請求項１に記載のスピンドルモータ。
【発明の詳細な説明】
【技術分野】
【０００１】
本発明は、磁気、光ディスク等の記録ディスクを回転駆動するために用いられるスピンドルモータにおけるディスクの保持構造に関する。
【背景技術】
【０００２】
従来、磁気、光ディスク等の記録ディスクを回転駆動するために用いられるスピンドルモータを小型化、特に小径化する場合に、各部品が径方向に密集するため、ディスクを保持する方法としてディスクに付与された磁性材を吸引するマグネットにより保持することが一般的に実施されている。
【０００３】
図３に示す様に、この吸引マグネット３０８はロータ３１２の上部中心付近に配置され、モータの磁気回路に影響を与えないように配置されている。(例えば、特許文献１参照。)
また、図４に示す様にロータヨーク４０１から漏れるメインマグネット４０３の磁束を利用し、ディスク４０９を吸引、保持するものが知られている。(例えば、特許文献２参照。)
【特許文献１】特開平７−７９５５６号公報
【特許文献２】特公平８−１５３８３号公報
【発明の開示】
【発明が解決しようとする課題】
【０００４】
しかしながら、最近では携帯機器等の小型化に伴い上記ディスク等も小径化されてきており、これを回転駆動するスピンドルモータにおいてもこれまで以上の小型、薄型化が要望されている。そのため、ディスクを保持する吸引マグネットがモータの磁気回路に接近しており、磁束の乱れによるトルクリップルが大きくなるなど、モータの電気特性に悪影響を与えるという問題点があった。
【０００５】
図３に示す従来例では、ディスク３０９を吸引する吸引マグネット３０８が前記ディスク３０９の位置決めを行うターンテーブルセンター部３１１にある為、前記ディスク３０９に付与される磁性材を前記ターンテーブルセンター部３１１の上方に配置する必要がある。その為、メディアの厚み寸法が大きくなり、セットの薄型化には不利であるという問題点があった。
【０００６】
図４に示す従来例では、ディスク４０９の吸引にロータヨーク４０１からの漏れ磁束を使用する為、前記ロータヨーク４０１を非常に薄くする必要があり、ロータ４１２の剛性が著しく低下するといった問題があった。
【課題を解決するための手段】
【０００７】
上記課題を解決するために本発明は、磁性体からなるロータヨークと、前記ロータヨークに固着され共に回転するシャフトと、磁力を発生するメインマグネットからなるロータと、前記ロータを回転駆動させる磁気を発生するコイルを備えたステータと、前記ロータを回転自在に保持する含油メタル軸受けを備え、磁気、光ディスク等の記録ディスクを回転駆動するために用いられるスピンドルモータにおいて、ディスクを保持する吸引マグネットをアキシャル方向に磁束を発生するように着磁し、前記着磁の極数および極性位置を前記メインマグネットと同数且つ極性を同位置とする。
【発明の効果】
【０００８】
本発明のスピンドルモータによれば、ディスクを保持する吸引マグネットをアキシャル方向に磁束を発生するように着磁し、極数および極性位置をロータマグネットと同数且つ極性を同位置とすることで、ロータヨークを介してお互いのマグネット間で磁束が鎖交するためパーミアンスが大きくなり、コイルに鎖交する磁束も増加し、モータの発生トルクが増大する。
【０００９】
さらに、ロータマグネットと吸引マグネットとが一体状に形成されたものであり、部品点数の削減や、組み立て工数を簡略化することができる。
【００１０】
したがって、モータ出力の向上および損失の少ない高効率モータを提供することができる。
【発明を実施するための最良の形態】
【００１１】
磁性体からなるロータヨークと、前記ロータヨークに固着され共に回転するシャフトと、磁力を発生するロータマグネットからなるロータと、前記ロータを回転駆動させる磁気を発生するコイルを備えたステータと、前記ロータを回転自在に保持する含油メタル軸受けを備え、ディスクを保持する吸引マグネットをアキシャル方向に磁束を発生するように着磁し、前記着磁の極数および極性位置を前記ロータマグネットと同数且つ極性を同位置とする。
【実施例１】
【００１２】
本発明に係わるモータを図１〜図２に示す。図１（ａ）はモータ断面図、図１（ｂ）はロータ断面図、図１（ｃ）はメインマグネット及び吸引マグネットの配置斜視図である。図１（ａ）、（ｂ）、（ｃ）において１０２はシャフトで、ロータヨーク１０１に垂直に固定される。１０５はコイルでありバックプレート１０４によって保持固定されている。前記シャフト１０２は含油メタル軸受け１０６に回転可能に挿入されており、スラスト軸受け１０７でアキシャル方向に支持されている。前記コイル１０５に空隙をもって対向し、前記ロータヨーク１０１に前記メインマグネット１０３及び前記吸引マグネット１０８、ターンテーブル１１０が固着されている。前記メインマグネット１０３及び前記吸引マグネット１０８はアキシャル方向に磁束を発生する様に着磁され、極数及び極性位置を同数且つ同位置とし、前記ロータヨークを介して対向している。前記コイル１０５に励磁電流を供給し、前記メインマグネット１０３との吸引・反発力により、モータを回転させる。
【００１３】
本実施例により、前記ディスク１０９を保持する前記吸引マグネット１０８をアキシャル方向に磁束を発生するように着磁し、極数および極性位置を前記メインマグネット１０３と同数且つ極性を同位置とすることで、前記ロータヨーク１０１を介してお互いのマグネット間で磁束が鎖交するためパーミアンスが大きくなり、コイルに鎖交する磁束も増加し、モータの発生トルクが増大する。
【実施例２】
【００１４】
図２は本発明における第２の実施例である。本実施例ではメインマグネット２０３と吸引マグネット２０８とを一体成型する。
【００１５】
本実施例により、前記メインマグネット２０３と前記吸引マグネット２０８とが一体状に形成されるため、更に磁気特性を改善する事が出来る。また、部品点数が削減される為、組み立て工数の低減を図ることが出来る。
【００１６】
なお、上記マグネットをロータヨーク２０１とモールドして一体成型するなどしても良い。
【産業上の利用可能性】
【００１７】
本発明のスピンドルモータは、モータの小型化、薄型化に最適であり、少スペースを要する用途、例えば携帯機器等に使用されるディスクメディアのスピンドルモータなどに有用である。
【図面の簡単な説明】
【００１８】
【図１】（ａ）本発明モータの断面図、（ｂ）本発明モータのロータ断面図、（ｃ）本発明モータのマグネット部斜視図
【図２】本発明モータの断面図
【図３】従来モータの断面図（１）
【図４】従来モータの断面図（２）
【符号の説明】
【００１９】
１０１、２０１、４０１  ロータヨーク
１０２  シャフト
１０３、２０３、４０３  メインマグネット
１０４  バックプレート
１０５  コイル
１０６  含油メタル軸受け
１０７  スラスト軸受け
１０８、２０８、３０８  吸引マグネット
１０９、３０９、４０９  ディスク
１１０  ターンテーブル
３１１  ターンテーブルセンター部
３１２、４１２  ロータ
【図１】
2006060890.tif 000003
【図２】
2006060890.tif 000004
【図３】
2006060890.tif 000005
【図４】
2006060890.tif 000006